(57)【特許請求の範囲】
【請求項１】
運転者によって操作されるブレーキペダル（１）と、
前記ブレーキペダルに入力された操作力によりピストン（２１、２２）が駆動されてブレーキ液圧を発生させるマスタシリンダ（２）と、
前記ブレーキペダルの初期位置から中間位置までの所定のストローク範囲では、前記ブレーキペダルのストロークを吸収して反力を発生させるストロークシミュレータ（３）とを備えるブレーキ装置であって、
前記ストロークシミュレータは、
前記ブレーキペダルにピン（４）にて結合された筒状のシリンダ（３１）と、
シャフト軸部（３２３）が前記シリンダ内に挿入され、シャフト鍔部（３２１）が前記シリンダの外部に位置し、前記ブレーキペダルおよび前記シリンダに対して相対移動可能な状態で前記ブレーキペダルおよび前記シリンダに前記ピンにて連結され、前記ピストンと一体的に移動するシャフト（３２）と、
前記シリンダと前記シャフト鍔部との間に挟持され、前記所定のストローク範囲で反力を発生させるシミュレータスプリング（３３）とを備えることを特徴とするブレーキ装置。
【請求項２】
前記シャフト軸部に長孔（３２７）が形成され、前記長孔に前記ピンが挿入されることにより、前記ブレーキペダルおよび前記シリンダに対して前記シャフトが相対移動可能に構成されていることを特徴とする請求項１に記載のブレーキ装置。
【請求項３】
前記ブレーキペダルが前記中間位置まで操作されたときに前記シリンダと前記シャフトの対向面が当接し、前記ブレーキペダルが前記中間位置を越えて操作されたときに前記シリンダと前記シャフトが一体的に移動することを特徴とする請求項１または２に記載のブレーキ装置。
【発明の詳細な説明】
【技術分野】
【０００１】
本発明は、ブレーキペダルのストロークを吸収して反力を発生させるストロークシミュレータを備えるブレーキ装置に関するものである。
【背景技術】
【０００２】
従来、この種のブレーキ装置として、例えば特許文献１に記載されたものがある。この特許文献１に記載されたブレーキ装置は、ストロークシミュレータをマスタシリンダ内に収容したり、或いはストロークシミュレータをマスタシリンダとは別に設けてエンジンルーム内に配置している。
【先行技術文献】
【特許文献】
【０００３】
【特許文献１】特開２０１０−９２５号公報
【発明の概要】
【発明が解決しようとする課題】
【０００４】
しかしながら、前者のようにストロークシミュレータをマスタシリンダ内に収容した場合、マスタシリンダが大型になってしまい、狭いエンジンルーム内への搭載に支障を来す虞がある。また、後者のようにストロークシミュレータをマスタシリンダとは別に設ける場合も、狭いエンジンルーム内への搭載に支障を来す虞がある。
【０００５】
本発明は上記点に鑑みて、ストロークシミュレータを車室内に配置可能にすることを目的とする。
【課題を解決するための手段】
【０００６】
上記目的を達成するため、請求項１に記載の発明では、運転者によって操作されるブレーキペダル（１）と、ブレーキペダルに入力された操作力によりピストン（２１、２２）が駆動されてブレーキ液圧を発生させるマスタシリンダ（２）と、ブレーキペダルの初期位置から中間位置までの所定のストローク範囲では、ブレーキペダルのストロークを吸収して反力を発生させるストロークシミュレータ（３）とを備えるブレーキ装置であって、ストロークシミュレータは、ブレーキペダルにピン（４）にて結合された筒状のシリンダ（３１）と、シャフト軸部（３２３）がシリンダ内に挿入され、シャフト鍔部（３２１）がシリンダの外部に位置し、ブレーキペダルおよびシリンダに対して相対移動可能な状態でブレーキペダルおよびシリンダにピンにて連結され、ピストンと一体的に移動するシャフト（３２）と、シリンダとシャフト鍔部との間に挟持され、所定のストローク範囲で反力を発生させるシミュレータスプリング（３３）とを備えることを特徴とする。
【０００７】
これによると、ストロークシミュレータを車室内に配置することができ、ストロークシミュレータを備えるブレーキ装置の搭載性を向上させることができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】本発明の一実施形態に係るブレーキ装置の構成を示す図である。
【図２】図１のシリンダの正面図である。
【図３】図２の平面図である。
【図４】図２の右側面図である。
【図５】図１のシャフトの正面図である。
【図６】図５の平面図である。
【図７】図５の右側面図である。
【発明を実施するための形態】
【００１０】
以下、本発明の実施形態について図に基づいて説明する。
【００１１】
本実施形態のブレーキ装置は、液圧制動力を発生させる液圧ブレーキ装置と回生制動力を発生させる回生ブレーキ装置とを併用して協調制御を行う車両用ブレーキ装置における、液圧ブレーキ装置として用いられる。
【００１２】
図１に示すように、液圧ブレーキ装置は、運転者によって操作されるブレーキペダル１と、ブレーキ液圧を発生させるマスタシリンダ２との間に、反力を発生させるストロークシミュレータ３が配置されている。ブレーキペダル１とストロークシミュレータ３は、ピン４によって結合されている。
【００１３】
そして、ブレーキペダル１に入力された操作力はストロークシミュレータ３を介してマスタシリンダ２に伝達されるようになっている。なお、ブレーキペダル１およびストロークシミュレータ３は車室内に配置され、マスタシリンダ２はエンジンルーム内に配置される。
【００１４】
マスタシリンダ２は、プライマリピストン２１およびセカンダリピストン２２によってプライマリ室２３とセカンダリ室２４とに区画されたタンデムタイプのマスタシリンダである。プライマリピストン２１には、ストロークシミュレータ３に連結されるプッシュロッド２５が固定されている。
【００１５】
プライマリ室２３には、プライマリピストン２１をプッシュロッド２５側に向かって付勢するプライマリスプリング２６が配置されている。セカンダリ室２４には、セカンダリピストン２２をプライマリ室２３側に向かって付勢するセカンダリスプリング２７が配置されている。プライマリ室２３およびセカンダリ室２４は、ブレーキ液を貯留するリザーバ２８に接続されている。
【００１６】
そして、運転者によってブレーキペダル１が踏み込まれると、ストロークシミュレータ３を介してプライマリピストン２１が駆動されてプライマリ室２３からブレーキ液が送り出されるとともに、セカンダリピストン２２が駆動されてセカンダリ室２４からブレーキ液が送り出されるようになっている。
【００１７】
プライマリ室２３およびセカンダリ室２４から送り出されたブレーキ液は、ブレーキ液圧制御用アクチュエータ（図示せず）を介して各ホイールシリンダ（図示せず）に流入する。
【００１８】
ストロークシミュレータ３は、シリンダ３１、シャフト３２、およびシミュレータスプリング３３を備えている。
【００１９】
図１〜図４に示すように、シリンダ３１には、円筒状のシリンダ第１円筒部３１１と、このシリンダ第１円筒部３１１よりも外径が小さい円筒状のシリンダ第２円筒部３１２が、直列に形成されている。
【００２０】
シリンダ第１円筒部３１１およびシリンダ第２円筒部３１２内には、シリンダ軸方向に沿って延びて貫通するシリンダ第１孔３１３が形成されている。このシリンダ第１孔３１３に、シャフト３２が摺動自在に挿入される。
【００２１】
シリンダ３１には、シリンダ第１円筒部３１１の端部からシリンダ第２円筒部３１２の途中までシリンダ軸方向に沿って延びるシリンダ溝３１４が形成されている。このシリンダ溝３１４は、天地方向２箇所に形成されている。そして、シリンダ溝３４にブレーキペダル１の中間部が挿入される。
【００２２】
シリンダ第１円筒部３１１の端部近傍には、シリンダ径方向に沿って延びて貫通するシリンダ第２孔３１５が形成されている。このシリンダ第２孔３１５は、水平方向２箇所に形成されている。そして、シリンダ第２孔３１５にピン４が挿入固定される。
【００２３】
図１、図５〜図７に示すように、シャフト３２には、シミュレータスプリング３３の一端を支持する円盤状のシャフト鍔部３２１と、シミュレータスプリング３３の内周側を支持する円筒状のスプリングガイド部３２２と、シリンダ第１孔３１３に摺動自在に挿入される円筒状のシャフト軸部３２３が、直列に形成されている。
【００２４】
シャフト鍔部３２１、スプリングガイド部３２２、およびシャフト軸部３２３内には、シャフト軸方向に沿って延びるシャフト孔３２４、およびシャフト雌ねじ部３２５が形成されている。そして、シャフト孔３２４にプッシュロッド２５の一端側が挿入され、シャフト雌ねじ部３２５にプッシュロッド２５の先端が螺合される。
【００２５】
シャフト軸部３２３には、シャフト軸部３２３の端部からシャフト軸部３２３の途中までシャフト軸方向に沿って延びるとともに天地方向に沿って延びるシャフト溝３２６が形成されている。そして、シャフト溝３２６にブレーキペダル１の中間部が挿入される。
【００２６】
シャフト軸部３２３の端部近傍には、シャフト径方向に貫通するとともにシャフト軸方向に細長いシャフト長孔３２７が形成されている。このシャフト長孔３２７は、水平方向２箇所に形成されている。そして、シャフト長孔３２７にピン４が摺動自在に挿入される。
【００２７】
図１に示すように、ストロークシミュレータ３は、シャフト軸部３２３がシリンダ第１孔３１３に摺動自在に挿入され、シリンダ第１円筒部３１１とシャフト鍔部３２１との間にシミュレータスプリング３３が挟持されている。
【００２８】
そして、シリンダ３１とシャフト３２は、シミュレータスプリング３３によってそれらが離間される向きに付勢されており、ブレーキペダル１が踏み込まれていない初期位置のときには、シリンダ第２円筒部３１２とスプリングガイド部３２２の対向面は当接していない状態になっている（図１に示す状態）。また、シミュレータスプリング３３のセット荷重は、プライマリスプリング２６およびセカンダリスプリング２７のセット荷重よりも小さく設定されている。
【００２９】
シリンダ溝３１４およびシャフト溝３２６にブレーキペダル１の中間部が摺動自在に挿入され、ブレーキペダル１の中間部に形成された孔（図示せず）およびシャフト長孔３２７にピン４の中間部が摺動自在に挿入され、シリンダ第２孔３１５にピン４の両端が挿入固定されている。これにより、ブレーキペダル１とシリンダ３１が一体的に作動するとともに、ブレーキペダル１およびシリンダ３１に対してシャフト３２がシャフト軸方向に相対移動可能になっている。
【００３０】
シャフト雌ねじ部３２５にプッシュロッド２５の先端が螺合されて、プライマリピストン２１とプッシュロッド２５とシャフト３２が一体的に作動するようになっている。
【００３１】
上記構成において、ブレーキペダル１が踏み込まれると、ブレーキペダル１およびシリンダ３１が前進する。ここで、シャフト長孔３２７にピン４が挿入されて、ブレーキペダル１およびシリンダ３１に対してシャフト３２がシャフト軸方向に相対移動可能になっており、また、シミュレータスプリング３３のセット荷重は、プライマリスプリング２６およびセカンダリスプリング２７のセット荷重よりも小さく設定されているため、ブレーキペダル１の踏み込み量が小さい領域では、シャフト３２は移動しない。
【００３２】
ブレーキペダル１が中間位置まで操作されると、シリンダ第２円筒部３１２とスプリングガイド部３２２の対向面が当接する。
【００３３】
したがって、ブレーキペダル１の初期位置から中間位置までの所定のストローク範囲では、シミュレータスプリング３３を圧縮しつつブレーキペダル１およびシリンダ３１が前進し、ストロークシミュレータ３はブレーキペダル１のストロークを吸収して反力を発生する。
【００３４】
シリンダ第２円筒部３１２とスプリングガイド部３２２の対向面が当接した後、ブレーキペダル１がさらに踏み込まれると、すなわち、ブレーキペダル１が中間位置を越えて操作されると、シリンダ３１とシャフト３２が一体的に移動する。
【００３５】
したがって、ブレーキペダル１が中間位置を越えて操作される領域では、マスタシリンダ２は、ブレーキペダル１に連動してブレーキ液圧を発生する。具体的には、マスタシリンダ２は、ブレーキペダル１の踏み込みに伴ってシャフト３２を介してプライマリピストン２１が駆動されてプライマリ室２３の圧力を上昇させ、また、セカンダリピストン２２が駆動されてセカンダリ室２４の圧力を上昇させる。
【００３６】
このように、本実施形態では、車室内に設置されたブレーキペダル１とプッシュロッド２５との間にストロークシミュレータ３を設け、ブレーキペダル１に入力された操作力を、ストロークシミュレータ３を介してマスタシリンダ２に伝達する構成とし、ストロークシミュレータ３を車室内に配置することを可能にした。
【００３７】
さらに、ストロークシミュレータ３をブレーキペダル１とプッシュロッド２５間の小さな空間に、容易に交換可能な一組の部品からなる機構として構成したので、ストロークシミュレータ３を備えるブレーキ装置の搭載性を向上させることができる。より詳細には、ストロークシミュレータ３を、既存の構成部品であるプレビスと置き換えるのみで実施することができる。
【００３８】
また、従来のブレーキ装置は、ストロークシミュレータの有無によってマスタシリンダを適合させる必要があるため、ストロークシミュレータを用いるブレーキ装置のマスタシリンダとストロークシミュレータを用いないブレーキ装置のマスタシリンダとを共通化することができなかった。
【００３９】
これに対し、本実施形態では、ブレーキペダル１に入力された操作力を、ストロークシミュレータ３を介してマスタシリンダ２に伝達する構成であるため、ストロークシミュレータ３の有無に関わらず、マスタシリンダ２を共通化することができる。
【００４０】
（他の実施形態）
なお、本発明は上記した実施形態に限定されるものではなく、特許請求の範囲に記載した範囲内において適宜変更が可能である。
【００４１】
また、上記実施形態において、実施形態を構成する要素は、特に必須であると明示した場合および原理的に明らかに必須であると考えられる場合等を除き、必ずしも必須のものではないことは言うまでもない。
【００４２】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【００４３】
また、上記実施形態において、構成要素等の形状、位置関係等に言及するときは、特に明示した場合および原理的に特定の形状、位置関係等に限定される場合等を除き、その形状、位置関係等に限定されるものではない。
【符号の説明】
【００４４】
１      ブレーキペダル
２      マスタシリンダ
３      ストロークシミュレータ
４      ピン
２１    プライマリピストン
２２    セカンダリピストン
３１    シリンダ
３２    シャフト
３３    シミュレータスプリング
３２１  シャフト鍔部
３２３  シャフト軸部
【図１】
0006398648.tif 000002
【図２】
0006398648.tif 000003
【図３】
0006398648.tif 000004
【図４】
0006398648.tif 000005
【図５】
0006398648.tif 000006
【図６】
0006398648.tif 000007
【図７】
0006398648.tif 000008